(57)【要約】【課題】キャビネット等の前面開口部を左右にスライド開閉する引戸に引手枠を設け、引手枠内に設けた操作部材を変位させてラッチを係脱する構造の引手装置であって、引手枠の横幅を必要最小限に小さくして外観性の向上を図ることができるとともに、操作性においても優れた引戸の引手装置を提供する。【解決手段】前面開放した箱型の引手枠３の内方側に開放部８を設け、操作部材４の基部を垂直な回動軸芯にて前後回動可能に保持して該引手枠の内方側に並設するとともに、前記開放部を通して前記引手枠内に位置させた前記操作部材の遊端部に指掛け部９を設け、更に操作部材の近傍にラッチ部材５を回動可能に設け、指掛け部を手前に回動させてラッチ部材を連動回動させてキャビネット等の前面開口部の框部１０に設けた係合部との係合が解除される。【選択図】        図４
2008111276.tif 000002
【特許請求の範囲】
【請求項１】
キャビネット等の前面開口部を左右にスライド開閉する引戸の側部に引手枠を設け、該引手枠内に設けた操作部材を変位させてラッチを係脱する構造の引手装置であって、前面開放した箱型の前記引手枠の内方側に開放部を設け、前記操作部材の基部を垂直な回動軸芯にて前後回動可能に保持して前記引手枠の内方側に並設するとともに、前記開放部を通して前記引手枠内に位置させた前記操作部材の遊端部に指掛け部を設け、更に前記操作部材の近傍にラッチ部材を回動可能に設け、前記指掛け部を手前に回動させて前記ラッチ部材を連動回動させてキャビネット等の前面開口部の框部に設けた係合部との係合が解除されることを特徴とする引戸の引手装置。
【請求項２】
前記ラッチ部材は、略水平に外側方へ延びたラッチ杆と略垂直に前記操作部材に重なるように延びた作動杆とを備えた正面視略Ｌ字形であり、その屈曲部を前記操作部材の近傍に水平な支軸にて上下回動可能に設け、前記ラッチ杆がキャビネット等の前面開口部の框部に設けた係合部に係合する方向に弾性付勢し、前記操作部材の一部とラッチ部材の作動杆とが接触連係し、前記指掛け部を手前に回動させると前記ラッチ杆が係合部との係合が解除される方向に前記ラッチ部材が回動してなる請求項１記載の引戸の引手装置。
【請求項３】
前記操作部材の基部前面側に突起を形成するとともに、前記ラッチ部材の作動杆の端部に前記突起に当接する摺動案内部を設け、前記操作部材の回動に対して前記ラッチ部材を回動させてなる請求項２記載の引戸の引手装置。
【請求項４】
前記引手枠の開放部側に側方から嵌着するブラケット体に、前記操作部材の基部を回動可能に保持するとともに、前記ラッチ部材の屈曲部を回動可能に軸着し、該ラッチ部材の作動杆に一体的に延設した板ばね部の先端部を前記ブラケット体に当止して前記ラッチ部材を弾性付勢してなる請求項２又は３記載の引戸の引手装置。
【発明の詳細な説明】
【技術分野】
【０００１】
本発明は、引戸の引手装置に係わり、更に詳しくはキャビネット等の前面開口部を左右にスライド開閉する引戸の引手装置に関するものである。
【背景技術】
【０００２】
従来から、前面開口部に左右にスライド開閉する引戸を有するキャビネットにおいて、引戸の前面側部の上下中間に引手を設けることは常識的である。ここで、通常の引戸においては、単に指掛け用の凹部を設けただけのものが多いが、その場合に引戸が不意に開かないようにするためにはその都度施錠を施さなければならない。
【０００３】
この改善策として、引手に可動な操作部材を配して、該操作部材の変位によってラッチを操作できる構造のものも提供されている。例えば、特許文献１には、引戸の側枠に、カップ状の引手枠を固定し、前記引手枠の外側に配置する正面視逆Ｌ字状の操作部材は、その一方に手掛け部が形成され、他方には家具等の固定側の係合部に対して係脱するラッチ部が形成されており、前記引手枠の一側の側板部には、前記操作部材に設けた手掛け部を引手枠の内部に臨ませるための挿入口が穿設されており、前記操作部材には、前記ラッチ部が係合する方向に付勢させるための弾性板状の付勢バネを一体的に設け、前記引手枠の外側の一側部にてブラケット体を上下逆にして配置できるように、前記ブラケット体の上下部に設けた上下一対の係止爪を前記引手枠の上下の側板部の係止部に係止させるように構成すると共に、前記ブラケット体の上下部位には前記操作部材の中途部が回動可能に枢着される枢支部を設けた構造の引手装置が開示されている。
【０００４】
しかし、前述の特許文献１に記載の引手装置は、引手枠の内部で操作部材の手掛け部が、引戸の表面に平行で左右に回動変位する構造であるので、該操作部材の所定回動角度を確保するためには、引手枠の枠縁と手掛け部との間に比較的大きな隙間を設ける必要があり、必然的に前記引手枠の横幅が大きくなるばかりでなく、操作部材の露出する面積が大きくなり、デザインが限定され、外観性を悪くする原因となる。また、引戸は厚さが比較的薄く、その内部に埋設状態で設ける引手枠の深さも浅くなるため、それに応じて前記手掛け部の指掛かり深さも浅くなり、操作性にやや劣るといった課題を有している。
【特許文献１】特許第３４９０２７４号公報
【発明の開示】
【発明が解決しようとする課題】
【０００５】
そこで、本発明が前述の状況に鑑み、解決しようとするところは、キャビネット等の前面開口部を左右にスライド開閉する引戸に引手枠を設け、引手枠内に設けた操作部材を変位させてラッチを係脱する構造の引手装置であって、引手枠の横幅を必要最小限に小さくして外観性の向上を図ることができるとともに、操作性においても優れた引戸の引手装置を提供する点にある。
【課題を解決するための手段】
【０００６】
本発明は、前述の課題解決のために、キャビネット等の前面開口部を左右にスライド開閉する引戸の側部に引手枠を設け、該引手枠内に設けた操作部材を変位させてラッチを係脱する構造の引手装置であって、前面開放した箱型の前記引手枠の内方側に開放部を設け、前記操作部材の基部を垂直な回動軸芯にて前後回動可能に保持して前記該引手枠の内方側に並設するとともに、前記開放部を通して前記引手枠内に位置させた前記操作部材の遊端部に指掛け部を設け、更に前記操作部材の近傍にラッチ部材を回動可能に設け、前記指掛け部を手前に回動させて前記ラッチ部材を連動回動させてキャビネット等の前面開口部の框部に設けた係合部との係合が解除されることを特徴とする引戸の引手装置を構成した（請求項１）。
【０００７】
ここで、前記ラッチ部材は、略水平に外側方へ延びたラッチ杆と略垂直に前記操作部材に重なるように延びた作動杆とを備えた正面視略Ｌ字形であり、その屈曲部を前記操作部材の近傍に水平な支軸にて上下回動可能に設け、前記ラッチ杆がキャビネット等の前面開口部の框部に設けた係合部に係合する方向に弾性付勢し、前記操作部材の一部とラッチ部材の作動杆とが接触連係し、前記指掛け部を手前に回動させると前記ラッチ杆が係合部との係合が解除される方向に前記ラッチ部材が回動してなることが好ましい（請求項２）。
【０００８】
更に、前記操作部材の基部前面側に突起を形成するとともに、前記ラッチ部材の作動杆の端部に前記突起に当接する摺動案内部を設け、前記操作部材の回動に対して前記ラッチ部材を回動させてなることがより好ましい（請求項３）。
【０００９】
また、前記引手枠の開放部側に側方から嵌着するブラケット体に、前記操作部材の基部を回動可能に保持するとともに、前記ラッチ部材の屈曲部を回動可能に軸着し、該ラッチ部材の作動杆に一体的に延設した板ばね部の先端部を前記ブラケット体に当止して前記ラッチ部材を弾性付勢してなることも好ましい（請求項４）。
【発明の効果】
【００１０】
以上にしてなる請求項１に係る発明の引戸の引手装置は、前面開放した箱型の引手枠の内方側に開放部を設け、操作部材の基部を垂直な回動軸芯にて前後回動可能に保持して前記引手枠の内方側に並設するとともに、前記開放部を通して前記引手枠内に位置させた前記操作部材の遊端部に指掛け部を設け、更に前記操作部材の近傍にラッチ部材を回動可能に設け、前記指掛け部を手前に回動させて前記ラッチ部材を連動回動させてキャビネット等の前面開口部の框部に設けた係合部との係合が解除されるようにしたので、指掛け部を引手枠内の内方側に接近して配置することができるので、引手枠の横幅を必要最小限に抑制することができ、それにより引手がコンパクトになり、デザインの自由度も大きくなるばかりでなく、外観性をスッキリとしたものにすることができる。更に、操作部材の指掛け部に指を掛けて手前に回動させれば、指掛け部と引手枠の底面との間の空間が広くなって、更に指掛かり深さが深くなり、操作性が向上するのである。また、一旦開放した引戸を閉止するときには、引手枠の外方側の枠縁と指掛け部との間に指を差し入れて、引手枠の外方側の枠縁を持って閉じるので、誤って指掛け部に指を掛けて閉じることがないのである。
【００１１】
請求項２によれば、操作部材をラッチ部材とを別部材としたことにより、ラッチ部材のラッチ杆を従来と同様に上下に変位してキャビネット等の前面開口部の框部に設けた係合部に係脱できるようにして、設計思想の統一を図りつつ、前記操作部材を前後回動可能に構成して、従来の問題を一挙に解決したのである。また、前記操作部材の一部とラッチ部材の作動杆とが接触連係し、前記指掛け部を手前に回動させると前記ラッチ杆が係合部との係合が解除される方向に前記ラッチ部材が回動してなるので、各部材を組み付けるだけで連動させることができる。
【００１２】
請求項３によれば、前記操作部材の基部前面側に突起を形成するとともに、前記ラッチ部材の作動杆の端部に前記突起に当接する摺動案内部を設け、前記操作部材の回動に対して前記ラッチ部材を回動させてなるので、操作部材の回動操作をラッチ部材の回動動作に確実に変換することができ、信頼性も高いのである。
【００１３】
請求項４によれば、前記引手枠の開放部側に側方から嵌着するブラケット体に、前記操作部材の基部を回動可能に保持するとともに、前記ラッチ部材の屈曲部を回動可能に軸着し、該ラッチ部材の作動杆に一体的に延設した板ばね部の先端部を前記ブラケット体に当止して前記ラッチ部材を弾性付勢してなるので、ブラケット体にラッチ部材を装着した状態で、引戸の裏面側から該ブラケット体を引手枠の開放部側に嵌着し、それから前面側から引手枠内に挿入した操作部材を前記ブラケット体に装着することにより、引手枠内の所定位置に操作部材の指掛け部を配することができる。
【発明を実施するための最良の形態】
【００１４】
次に、添付図面に示した実施形態に基づき、本発明を更に詳細に説明する。図１は、本発明に係る引戸の引手装置を適用したキャビネットの実施形態を示し、図２〜図６は本発明の詳細を示し、図中符号１はキャビネット、２は引戸、３は引手枠、４は操作部材、５はラッチ部材、６はブラケット体をそれぞれ示している。
【００１５】
本実施形態のキャビネット１は、前面開口部に左右にスライド開閉する３枚の引戸２，…が前後に引き違い可能に配置され、それらが連動して開閉する構造のものであるが、本発明は引戸２の開閉構造には限定されない。本発明の引手装置は、前記キャビネット１の左右両端部に位置する各引戸２の側部であって、上下中間部に設けた切欠開口７に引手枠３を嵌着し、該引手枠３内に設けた操作部材４を変位させてラッチを係脱する構造のものである。
【００１６】
更に詳しくは、前面開放した箱型の前記引手枠３の内方側に開放部８を設け、前記操作部材４の基部を垂直な回動軸芯にて前後回動可能に保持して前記引手枠３の内方側に並設するとともに、前記開放部８を通して前記引手枠３内に位置させた前記操作部材４の遊端部に指掛け部９を設け、更に前記操作部材４の近傍にラッチ部材５を回動可能に設け、前記指掛け部９を手前に回動させて前記ラッチ部材５を連動回動させてキャビネット１の前面開口部の框部１０に設けた係合部１１との係合が解除される構造となっている。
【００１７】
前記ラッチ部材５は、図２及び図３に示すように、略水平に外側方へ延びたラッチ杆１２と略垂直に前記操作部材４に重なるように延びた作動杆１３とを備えた正面視略Ｌ字形であり、その屈曲部１４を前記操作部材４の近傍に水平な支軸１５にて上下回動可能に設け、前記ラッチ杆１２がキャビネットの前面開口部の框部１０に設けた係合部１１に係合する方向に弾性付勢し、前記操作部材４の一部とラッチ部材５の作動杆１３とが接触連係し、前記指掛け部９を手前に回動させると前記ラッチ杆１２が係合部１１との係合が解除される方向に前記ラッチ部材５が回動するようにしている。
【００１８】
ここで、前記操作部材４の基部前面側に突起１６を形成するとともに、前記ラッチ部材５の作動杆１３の端部に前記突起１６に当接する摺動案内部１７を設け、前記操作部材４の回動に対して前記ラッチ部材５を回動させるのである。
【００１９】
また、前記引手枠３の開放部８側に側方から嵌着するブラケット体６に、前記操作部材４の基部を回動可能に保持するとともに、前記ラッチ部材５の屈曲部１４を回動可能に軸着し、該ラッチ部材５の作動杆１３に一体的に延設した板ばね部１８の先端部を前記ブラケット体６に当止して前記ラッチ部材５を弾性付勢している。
【００２０】
具体的には、前記引戸２は、スチール製で表面板１９と裏面板２０とを有する中空構造の偏平板体であり、前記引手枠３を嵌着する表面板１９に前記切欠開口７を形成し、前記裏面板２０であって前記切欠開口７の内方側の部分に一部重なって取付開口２１を形成し、更に側端面には前記ラッチ杆１２が側方へ突出する開口２２を形成している。尚、前記キャビネット１の側方の框部１０には、前記開口２２と対応する位置に係合部１１としての係合孔を形成している。
【００２１】
前記引手枠３は、図２〜図４に示すように、合成樹脂製で一体成形した前方開放の偏平な箱型であり、前記開放部８を形成した以外の３方に側面部２３，…を有するとともに、底面部２４を有し、更に前縁の周囲に前記切欠開口７の口縁に当止する鍔部２５を形成するとともに、該鍔部２５の後方に係合爪２６を設けて、前記切欠開口７に前方から嵌着できるようにしている。また、前記上下の側面部２３，２３の外面に係合凹部２８，２８を形成している。ここで、本実施形態では、前記引手枠３の内部の深さは約８ｍｍである。
【００２２】
前記操作部材４は、図２〜図４に示すように、合成樹脂製で一体成形した部材であり、基端部の上下端と中央部に軸部２９，…を同軸状に形成するとともに、基端部に当止片３０，３０を突設し、更に基部から外側方へ断面略Ｌ字形に延設し、この屈曲した遊端部を前記指掛け部９としている。本実施形態では、前記操作部材４の指掛け部９は、傾斜面３１とその前端に外側方へ突出した突条３２とから構成されているが、特に突条３２は無くても構わない。その場合、前記傾斜面３１が若干凹んで指掛かりが良くなるような断面形状とすることが望ましい。また、前記操作部材４の基部の前面側で、前記軸部２９から偏心した位置に前記突起１６を上下に突設している。ここで、前記操作部材４は、左右反転させて使用できるようにするため、上下対称形としている。
【００２３】
前記ラッチ部材５は、図２〜図４に示すように、合成樹脂製で一体成形した部材であり、前記ラッチ杆１２と作動杆１３とで正面視略Ｌ字形の形状を有し、前記屈曲部１４には軸着するための軸孔３３を形成し、また前記ラッチ杆１２の先端部は三角形状のラッチ３４が形成されている。そして、前記作動杆１３の端部に形成した前記摺動案内部１７は、先端側が垂直面３５Ａで、該垂直面３５Ａに連続した下部の基端側が、下方になるにつれて外方側へ突出した斜面３５Ｂとなっている。前記作動杆１３の先端に延設した板バネ部１８は、先端側が内側方へ曲がった形状を有している。
【００２４】
前記ブラケット体６は、図２〜図４に示すように、合成樹脂製で一体成形した部材であり、前記引手枠３の底面部２４に接合する基板３６の上下部に、前記引手枠３の上下側面部２３，２３を包持し、その係合凹部２８，２８に抜止め係合する脚片３７，３７を有するとともに、両脚片３７，３７間に前記操作部材４の軸部２９，…を外方側から回動可能に嵌着する軸受片３８，…を突設するとともに、上下端部に前記支軸１５，１５を突設し、更に内方側の端部に当止板３９を前方へ向けて一体成形したものである。更に、前記基板３６には、前記操作部材４が所定角度回動した際に、前記当止片３０，３０を受け入れて回動を規制する逃し孔４０，４０を形成している。このブラケット体６も左右反転させて使用できるようにするため、上下対称形としている。
【００２５】
そして、前述の各部材を引戸２に組み付けるには、先ず、前記引手枠３を前方側から前記切欠開口７に嵌着する。それから、前記ブラケット体６の下方の支軸１５に前記ラッチ部材５の屈曲部１４の軸孔３３を挿通した状態で、前記ラッチ部材５のラッチ杆１２から引戸２の裏面側の取付開口２１から挿入し、その先端を開口２２から突出させると同時に、前記両脚片３７，３７で前記引手枠３の上下側面部２３，２３に外嵌し、更に基板３６を前記引手枠３の底面部２４に接合する。この状態で、前記ブラケット体６の基板３６が前記取付開口２１を塞ぎ、裏面板２０と略面一になる。また、前記支軸１５の先端は前記表面板１９に当接し、若しくは接近しているので、前記ラッチ部材５の抜止めは不要である。このように、本実施形態では全ての部材を嵌合のみで引戸２の所定位置に装着することができる。前記ラッチ部材５の板バネ部１８の先端部を、前記ブラケット体６の当止板３９に圧接することにより、前記ラッチ杆１２が框部１０の係合部１１に係合する方向に弾性付勢される。
【００２６】
図３及び図４は、前記引戸２が閉止し、前記ラッチ杆１２が框部１０の係合部１１に係合した状態を示している。この状態から前記引戸２を開放するには、前記引手枠３内に指を差し入れ、前記操作部材４の指掛け部９に指を掛けて内方側に引くと、該操作部材４が軸部２９を中心として手間側へ回動し、それにより該操作部材４の突起１６が前記ラッチ部材５の摺動案内部１７を押して、該突起１６が垂直面３５Ａから斜面３５Ｂを摺動し、該ラッチ部材５が支軸１５を中心に回動し、前記ラッチ杆１２が上動してラッチ３４が係合部１１から外れ、更に指掛け部９を内方側に押すと前記引戸２が移動を開始するのである（図５及び図６参照）。このとき、図６に示すように、前記操作部材４の指掛け部９は引手枠３から手前に突出するので、指掛かりが深くなって引戸２の開放操作が容易になる。
【００２７】
そして、一旦開放した引戸２を閉止するには、前記引手枠３内に指を差し入れて、外方側の枠縁に指を掛けて外方側、即ち框部１０側へ引いて閉じるのである。ここで、前記引戸２が框部１０に当止する直前に、前記ラッチ３４が係合部１１を乗り越える際に、前記ラッチ部材５は弾性付勢力に抗して回動するが、前記突起１６と摺動案内部１７は当接しているのみであるから、前記操作部材４は回動することはないのである。そして、前記引戸２を完全に閉じた状態では、図４及び図５に示す状態に戻るのである。
【図面の簡単な説明】
【００２８】
【図１】引戸を備えたキャビネットの正面図である。
【図２】本発明の要部を示す分解斜視図である。
【図３】引戸が閉止してラッチが框部の係合部に係合した状態を表面板を省略して示した部分正面図である。
【図４】同じく部分横断面図である。
【図５】引戸を開放する際に操作部材を引いてラッチが框部の係合部から外れた状態を表面板を省略して示した部分正面図である。
【図６】同じく部分横断面図である。
【符号の説明】
【００２９】
１  キャビネット、        ２  引戸、
３  引手枠、              ４  操作部材、
５  ラッチ部材、          ６  ブラケット体、
７  切欠開口、            ８  開放部、
９  指掛け部、            １０  框部、
１１  係合部、            １２  ラッチ杆、
１３  作動杆、            １４  屈曲部、
１５  支軸、              １６  突起、
１７  摺動案内部、        １８  板バネ部、
１９  表面板、            ２０  裏面板、
２１  取付開口、          ２２  開口、
２３  側面部、            ２４  底面部、
２５  鍔部、              ２６  係合爪、
２８  係合凹部、          ２９  軸部、
３０  当止片、            ３１  傾斜面、
３２  突条、              ３３  軸孔、
３４  ラッチ、            ３５Ａ  垂直面、
３５Ｂ  斜面、            ３６  基板、
３７  脚片、              ３８  軸受片、
３９  当止板、            ４０  逃し孔。
【図１】
2008111276.tif 000003
【図２】
2008111276.tif 000004
【図３】
2008111276.tif 000005
【図４】
2008111276.tif 000006
【図５】
2008111276.tif 000007
【図６】
2008111276.tif 000008